(57)【要約】  携帯データキャリア（１）を個人化するため、データキャリア（１）が個人化方法の枠内で個人化装置（２０）から受け取るコマンド（２３）をデータキャリア（１）の選択デバイス（８）が解析する。選択デバイス（８）によってコマンド（２３）が特定の個人化方法に属すると認識されると、その個人化方法をサポートするデータキャリア（１）の個人化インターフェース（９）を選択デバイス（８）が起動する。データキャリア（１）にインストールされている複数の個人化インターフェース（９）の内の１つの自動選択により、いずれの専用個人化方法とも独立なデータキャリア（１）のフレキシブル個人化が可能になる。
2009536380.tif 000002
【特許請求の範囲】
【請求項１】
個人化方法を用いて携帯データキャリア（１）のメモリ（５）に個人化データをロードすることにより前記データキャリア（１）を個人化するために該データキャリア（１）の個人化インターフェース（９）を選択する方法において、
−  前記データキャリア（１）による前記個人化方法の認識工程（Ｓ３，Ｓ７，Ｓ１０）、
−  前記データキャリア（１）の、前記認識された個人化方法と整合している、個人化インターフェース（９）の起動工程（Ｓ４，Ｓ８，Ｓ１１）、及び
−  前記個人化方法による前記起動された個人化インターフェース（９）を介する前記メモリ（５）への前記個人化データのロード工程（Ｓ５，Ｓ９，Ｓ１２）、
を有してなる方法。
【請求項２】
前記認識された個人化方法と整合する前記個人化インターフェース（９）が、前記データキャリア（１）にインストールされている少なくとも２つの専用ソフトウエア個人化インターフェース（９）から選ばれることを特徴とする請求項１に記載の方法。
【請求項３】
前記個人化方法が、前記個人化方法の初期段階において前記データキャリア（１）によって受け取られる（Ｓ２）コマンド（２３）により認識されることを特徴とする請求項１または２に記載の方法。
【請求項４】
前記個人化方法の前記初期段階において受け取られるコマンド（２３）の少なくとも一部が、それぞれの場合において一個人化方法に一意的に割り当てられた、データキャリア（１）上に存在する参照コマンドと比較される（Ｓ３，Ｓ６，Ｓ７，Ｓ１０）ことを特徴とする請求項３に記載の方法。
【請求項５】
前記データキャリア（１）に関する前記個人化方法の認証及び／または初期化が前記個人化方法の前記初期段階において実行されることを特徴とする請求項３または４に記載の方法。
【請求項６】
"Get_Challenge"コマンドまたは"Initialize_Update"コマンドが、前記個人化方法の前記初期段階において、前記データキャリア（１）によって認識される（Ｓ３，Ｓ６）ことを特徴とする請求項３から５のいずれか１項に記載の方法。
【請求項７】
前記個人化方法が、前記個人化方法の前記初期段階において前記データキャリア（１）によって受け取られるコマンド（２３）のパラメータにより認識されることを特徴とする請求項３から６のいずれか１項に記載の方法。
【請求項８】
前記データキャリア（１）の前記個人化が、先個人化方法を用いて先個人化データをロードすることによる先個人化及び後個人化方法を用いて後個人化データをロードすることによる後個人化を含み、前記先個人化が前記データキャリア（１）の製造業者によって実施され、前記後個人化がエンドユーザへの前記データキャリア（１）の発行者によって実施されることを特徴とする請求項１から７のいずれか１項に記載の方法。
【請求項９】
前記先個人化時にデータキャリア固有個人化データが前記メモリ（５）にロードされ、前記後個人化時に前記データキャリア（１）の前記エンドユーザの個人固有個人化データが前記メモリ（５）にロードされる（Ｓ５，Ｓ９，Ｓ１２）ことを特徴とする請求項８に記載の方法。
【請求項１０】
前記方法がＩＣカード（１）に実装され、前記ＩＣカード（１）上で実行されることを特徴とする請求項１から９のいずれか１項に記載の方法。
【請求項１１】
携帯データキャリア（１）であって、プロセッサ（２）、メモリ（５）及び前記データキャリア（１）の個人化時に前記メモリ（５）に前記データキャリア（１）の外部から個人化データをロードする個人化方法に整合する個人化インターフェース（９）を備える携帯データキャリア（１）において、別の個人化方法に整合する少なくとも１つの別の個人化インターフェース（９）及び、前記個人化を実施する個人化方法を認識し、前記認識された個人化方法に整合する前記個人化インターフェース（９）を、前記個人化データをロードするために、起動するように適合された、選択デバイス（８）を備えることを特徴とするデータキャリア（１）。
【請求項１２】
前記少なくとも２つの個人化インターフェース（９）が、前記データキャリア（１）の製造業者またはエンドユーザへの前記データキャリア（１）の発行者の標準化された個人化方法と整合する専用ソフトウエアインターフェースであることを特徴とする請求項１１に記載のデータキャリア（１）。
【請求項１３】
データ通信インターフェース（３）を備え、前記選択デバイス（８）が個人化方法を、前記データ通信インターフェース（３）を介して前記個人化方法の初期段階において受け取られるコマンド（２３）によって、認識するように適合されることを特徴とする請求項１１または１２に記載のデータキャリア（１）。
【請求項１４】
前記メモリ（５）が、前記少なくとも２つの個人化インターフェース（９）に整合する前記個人化方法の内の１つにそれそれぞれの場合において一意的に割り当てられた参照コマンドを収める前記メモリ（５）に設定された参照データ領域（１３）を有し、個人化方法を認識するため、前記選択デバイス（８）が前記個人化方法の前記初期段階において受け取られる前記コマンド（２３）の少なくとも一部を前記参照コマンドと比較するように適合されることを特徴とする請求項１３に記載のデータキャリア（１）。
【請求項１５】
前記参照コマンドが認証コマンド及び／または初期化コマンドを含み、前記選択デバイス（８）が、前記初期段階において受け取られる認証コマンド及び／または初期化コマンドによって前記整合する個人化方法を認識するように適合されることを特徴とする請求項１３または１４に記載のデータキャリア（１）。
【請求項１６】
前記参照コマンドが"Get_Challenge"コマンド及び／または"Initialize_Update"コマンドを含み、前記選択デバイス（８）が、前記初期段階において受け取られる"Get_Challenge"コマンドまたは"Initialize_Update"コマンドによって前記整合する個人化方法を認識するように適合されることを特徴とする請求項１３から１５のいずれか１項に記載のデータキャリア（１）。
【請求項１７】
前記選択デバイス（８）が、前記個人化方法の前記初期段階において受け取られるコマンド（２３）のパラメータによって前記個人化方法を認識するように適合されることを特徴とする請求項１３から１６のいずれか１項に記載のデータキャリア（１）。
【請求項１８】
前記メモリ（５）が、前記起動された個人化インターフェース（９）を介して前記認識された個人化方法により書き込まれる個人化データを受け取るように適合された個人化データ領域（１０）を有することを特徴とする請求項１１から１７のいずれか１項に記載のデータキャリア（１）。
【請求項１９】
前記選択デバイス（８）が、先個人化を実行する先個人化を認識するように、また後個人化を実行する後個人化方法を認識するように、適合されることを特徴とする請求項１１から１８のいずれか１項に記載のデータキャリア（１）。
【請求項２０】
前記個人化データ領域（１０）が、前記認識された先個人化方法によって書き込まれる先個人化データを受け取るように適合された先個人化データ領域（１１）を有し、前記認識された後個人化方法によって書き込まれる後個人化データを受け取るように適合された後個人化データ領域（１２）を有することを特徴とする請求項１９に記載のデータキャリア（１）。
【請求項２１】
前記先個人化データ領域（１１）がデータキャリア固有先個人化データを受け取るように適合され、前記後個人化データ領域（１２）が前記データキャリア（１）のエンドユーザの個人固有後個人化データを受け取るように適合されることを特徴とする請求項２０に記載のデータキャリア（１）。
【請求項２２】
少なくとも１つの専用個人化インターフェース（９）が前記データキャリア（１）の製造業者の標準化された先個人化方法に整合し、少なくとも１つの別の専用個人化インターフェース（９）が前記データキャリア（１）の発行者の標準化された後個人化方法に整合することを特徴とする請求項１２及び１９から２１のいずれか１項に記載のデータキャリア（１）。
【請求項２３】
前記選択デバイス（８）が、前記プロセッサ（２）によって実行されるソフトウエアコンポーネントであることを特徴とする請求項１１から２２のいずれか１項に記載のデータキャリア（１）。
【請求項２４】
前記選択デバイス（８）が前記データキャリア（１）のオペレーティングシステム（７）に統合されていることを特徴とする請求項１１から２３のいずれか１項に記載のデータキャリア（１）。
【請求項２５】
前記データキャリア（１）がＩＣカード（１）であることを特徴とする請求項１１から２４のいずれか１項に記載のデータキャリア（１）。
【発明の詳細な説明】
【技術分野】
【０００１】
本発明は携帯データキャリアの個人化インターフェースを選択する方法及びそのような携帯データキャリアに関する。
【背景技術】
【０００２】
携帯データキャリアは、例えば機密情報を収めているかまたは特定の個人サービスへのアクセスを認可することから、特定エンドユーザ限定の使用のために特定エンドユーザ用に個人化された多様な携帯データキャリアが知られている。そのような携帯データキャリアは特に、例えば、チャージカードまたはクレジットカード、移動通信カード等の形態の、ＩＣカードである。そのような携帯データキャリアはほとんどが所期のサービス、例えば移動通信接続の先払いまたはクレジットカード取引の処理のため、製造業者直接ではなく、製造業者とは無関係のエンドユーザへのデータキャリア発行者によって用意される。
【０００３】
データキャリアの個人化、すなわち個人化データのインストールによるエンドユーザへのデータキャリアの一意的な割当は基本的に、データキャリアの製造業者または発行者が行うことができる。用いられる個人化データは、エンドユーザの氏名及び住所のような個人データであり、あるいは、暗号キー、パスワードのような、エンドユーザ個々に一意的に割り当てることができる、個人とは無関係に発生されるデータもある。
【０００４】
個人化データのデータキャリアへのロードは現在、主として、この目的のためにデータキャリア上におかれた対応する専用ソフトウエア個人化インターフェースと対話する専用個人化方法を用いて、データキャリアの製造業者によって実施されている。これに続く、データキャリアの発行者によるデータキャリアの個人化は、発行者の専用ソフトウエアインターフェースも有するデータキャリアにだけ、発行者の同様の専用個人化技術によって、可能である。そのような専用個人化方法は、例えば、特許文献１に説明されている。
【先行技術文献】
【特許文献】
【０００５】
【特許文献１】欧州特許出願公開第０５６５３８９Ａ１号明細書
【発明の概要】
【発明が解決しようとする課題】
【０００６】
本発明の課題は、フレキシブルであり、専用技術とはほとんど無関係な、携帯データキャリアを個人化する手段を提供することである。
【課題を解決するための手段】
【０００７】
上記課題は、独立特許請求項の特徴を有する方法及び携帯データキャリアにより、本発明にしたがって達成される。独立請求項に従属する請求項は本発明の有利な実施形態及び発展形態を表す。
【０００８】
本発明の携帯データキャリアは、プロセッサ、メモリ及び、データキャリアのメモリに少なくとも２つの異なる方法で個人化データをロードすることによって該当データキャリアを個人化できるような特定の個人化方法とそれぞれが整合する、少なくとも２つの個人化インターフェースを有する。データキャリアの発行者及び／または製造業者の特定の個人化方法に対する正しい個人化インターフェースの選択は、データキャリア上に存在する選択デバイスにより、その選択デバイスが該当する個人化方法を認識し、認識された個人化方法と整合する個人化インターフェースを選択することによって、実行される。
【０００９】
この態様には、特定の場合に個人化を実施するデータキャリア製造業者及び／または発行者の専用個人化方法とは無関係に、正しい個人化インターフェースの自動選択によってデータキャリアの個人化を実行できるという利点がある。特に、データキャリアの製造業者及び発行者はいずれも、適用される特定の専用個人化方法をデータキャリアにサポートさせるため、データキャリアの構成またはデータキャリアの個人化インターフェースを前もって変更することなく、様々な製造ロット及び個人化方法またはシステムの間でどれか１つを自由に選択することができる。これにより、そのようなデータキャリア製造業者による個人化方法及び個人化データに対する要件の変更への一層フレキシブルな対応が可能になる。
【００１０】
選択デバイスは、個人化方法の一部である、個人化の枠内でデータキャリアが受け取るコマンドによって個人化方法を認識する。このコマンドはデータキャリアのハードウエアデータ通信インターフェースを介して届き、選択デバイスによって参照コマンドと比較される。参照コマンドはそれぞれの場合において個人化インターフェースを用いてサポートされる個人化方法の内の１つに割り当てられ、データキャリアメモリの特設参照データ領域に格納することができる。
【００１１】
個人化方法は、個人化方法の初期段階において受け取られるコマンドの少なくとも一部によって認識されることが好ましい。個人化方法の初期段階は、例えば個人化方法あるいは陰で個人化を行う製造業者または発行者が自らを個人化が認可されているとしてデータキャリアに認証する、認証段階または初期化段階とすることができる。この場合、個人化方法は、受け取った認証コマンド及び／または初期化コマンドの、対応する参照認証コマンド及び／または参照初期化コマンドとの比較を用いて認識される。例えば、ＩＣカード製造業者Giesecke & Devrient（Ｇ＆Ｄ）の専用個人化方法は必ずコマンド"Get_Challenge"による認証をもって開かれる。選択デバイスが"Get_Challenge"を認識すると、選択デバイスは以降の個人化のために対応する専用Ｇ＆Ｄ個人化インターフェースを起動する。他方で、ＩＣカード発行者ＶＩＳＡ及び支払カード仕様のためのＥＭＶコンソーシアム（ユーロペイ（Europay），マスターカード（Mastercard），ビザ（VISA））の個人化方法は、この方法はこの時点で標準化段階にあって、必ずコマンド"Initialize_Update"を用いる認証によって開かれる。このコマンドを受け取ると、選択デバイスは対応する個人化インターフェースを直接起動する。さらに、選択デバイスによって評価される初期段階で受け取られるコマンドには、それぞれの場合においてデータキャリアに送られるべき特定の専用個人化方法または別の標準化方法を指すパラメータ及びデータを載せることが可能である。この場合に、選択デバイスは、適切な個人化インターフェースを起動するため、コマンド自体だけでなく、さらにそのパラメータも評価する。
【００１２】
個人化インターフェースの起動後、選択デバイスは特定の非起動個人化インターフェースを便宜的に無効にする。この排他性により、個人化データのロード時の非起動個人化インターフェースによる望ましくない妨害または干渉がおこらないことが保証される。
【００１３】
個人化方法の初期段階後、データキャリアのメモリ内の特設個人化データ領域に実個人化データが書き込まれる。データキャリアの個人化は個別の先個人化及び後個人化に分割することもできる。先個人化は例えばデータキャリアの製造業が行うことができ、後個人化はエンドユーザへのデータキャリアの発行者が実施することができる。したがって、ロードされるべきデータの先個人化時にロードされるほうが好都合なデータと後個人化時にロードされる方がよいその他のデータへの分割を実施することも可能である。すなわち、製造業者とは異なり、発行者はエンドユーザに直接に連絡をとれるから、例えば、エンドユーザの氏名及び住所のような私的個人化データは、後個人化時に発行者によってロードされるほうが、便宜がよくなり得る。一方、パスワード、暗号キー等のようなその他の個別化個人化データは、先個人化時にデータキャリアの製造業者が個人化データ領域にロードしておくことができる。
【００１４】
したがって、データキャリアのメモリ内の個人化データ領域は先個人化データを受け取るための先個人化データ領域及び後個人化データを受け取るための後個人化データ領域で構成することもできる。そのような２レベル個人化方法の可能な限り理解し易いサポートを可能にするためには、データキャリアが、データキャリアの製造業者の標準化された先個人化方法と整合する少なくとも１つの先個人化インターフェース及びデータキャリアの発行者の標準化された後個人化方法と整合する少なくとも１つの後個人化インターフェースを有していなければならない。同様に、選択デバイスも、いずれの標準化方法も認識すること及び適する個人化インターフェースを起動することができなければならない。
【００１５】
本発明の携帯データキャリアは基本的に、個人化データ及び／または初期化データによってエンドユーザによる個人的及び排他的使用のために個人化される、いずれかの携帯データキャリアとすることができる。そのような携帯データキャリアは特に、クレジットカード、銀行カード及びチャージカード、及び移動通信カード、セキュアマルチメディアカード等のような、ＩＣカードであるが、パスワードで保護されるかまたは生物統計学的に保護されるＵＳＢ記憶メディア等のような、その他いずれかの個人データキャリアもある。本発明の携帯データキャリアの１つにおいて、選択デバイスは、データキャリアのプロセッサによる実行が可能であり、通常のアプリケーションとして、またはオペレーティングシステムコンポーネントとして存在することができる、ソフトウエアコンポーネントとして構成することができる。
【００１６】
本発明のさらなる特徴及び利点は、本発明の様々な例示実施形態の、また添付図面に関する別の実施形態の、以下の説明から得られるであろう。
【図面の簡単な説明】
【００１７】
【図１】本発明にしたがって構成された携帯データキャリアを示す
【図２】図１にしたがう携帯データキャリアのフレキシブル個人化のための方法のフローチャートを示す
【発明を実施するための形態】
【００１８】
図１は、本発明の携帯データキャリアとして構成されたＩＣカード１を示す。ＩＣカード１は、プロセッサ（ＣＰＵ）２及び、不揮発性ＲＯＭメモリ４，書換可能メモリ５及びＲＡＭ作業メモリ６を含む、メモリアセンブリーを備える通常の構成を有する。ＲＯＭメモリ４は、本発明の選択デバイス（ＳＥＬＥＣＴ）８を含むデータキャリアオペレーティングシステム（ＯＳ）７を収める。同様に、選択デバイス８はオペレーティングシステム７外の個別コンポーネントとして構成されて、例えば書換可能メモリ５内のアプリケーションとして存在することもできるであろう。
【００１９】
ＲＯＭメモリ４は個人化方法の枠内でデータキャリアに届くコマンド（ＣＭＤ）２３を処理するための仕様を実質的に有する相異なるソフトウエア個人化インターフェース９を収める。本例において、ＩＣカード１は特に、Giesecke & Devrient（Ｇ＆Ｄ）の専用個人化方法のための個人化インターフェース９及びクレジットカード会社ＶＩＳＡ及び標準化コンソーシアムＥＭＶの標準化された個人化方法に対する個人化インターフェースを有する。個人化インターフェース９はソフトウエアコンポーネントとしてＲＯＭメモリ４内に必ずしも格納される必要はなく、同様に書換可能メモリ５内におかれるアプリケーションとして実現することができる。書換可能メモリ５はさらに、先個人化データ領域（ＰＲＥ）１１及び後個人化データ領域（ＰＯＳＴ）１２に分割される個人化データ（ＰＥＲＳ ＤＡＴＡ）１０を収める。
【００２０】
個人化データ１０は後のＩＣカード１所有者に、またはＩＣカード１自体に、一意的に割り当てられ、よってエンドユーザに関してＩＣカード１を個別化または個人化する、全てのデータを含む。個人化データ１０は特にエンドユーザの氏名及び住所を含むことができるが、暗号キー等のような、ＩＣカード１に割り当てられるデータも含むことができる。いずれの場合にも、個人化データは、一方でＩＣカード１を他の全てのＩＣカードから識別可能かつ弁別可能とし、他方でＩＣカード１を特定のエンドユーザに一意的に割り当てる、カード固有データである。この点に関し、個人化プロセスは個人化装置２０による個人化データの個人化データ領域１０へのロードを含む。ＩＣカードの個人化の基本シーケンスは、ランクル（Rankl）等，「ＩＣカードハンドブック（Handbuch der Chipkarten）」，第４版，Hansa-Verlag，に説明されている。
【００２１】
個人化データは個人化時に先個人化データ領域１１に格納される先個人化データと個人化時に後個人化データ領域１２に格納される後個人化データに分割することができる。本例において、先個人化データは、ＩＣカード１を一意的に識別可能にするが、初期にはエンドユーザに関するデータを全く含まない、カード固有データを含む。したがって、ＩＣカード製造業者がエンドユーザの個人データを知らなくとも、先個人化データはＩＣカード製造業者によって初期段階にロードすることもできる。次いで、エンドユーザの個人データは、ＩＣカード１の発行者により、例えばクレジットカード会社または移動通信プロバイダにより、後個人化データ領域１２にロードされる後個人化データを構成する。先個人化データ及び後個人化データを共用個人化データ領域１０にロードすることも可能なことは、当然である。
【００２２】
特定の個人化方法を用いる個人化装置２０によるデータキャリア１の個人化時に、選択デバイス８は、個人化方法の初期段階においてＩＣカード１に送られた第１のコマンド２３によるかあるいはＩＣカード１に送られたコマンドの選択により、該当する個人化方法を認識する。第１のコマンド２３がデータ通信インターフェース３を介してＩＣカード１に受け取られた後、選択デバイス８は受け取ったコマンド２３を書換可能メモリ５内の参照データ領域１３に格納されている参照コマンドと比較する。参照コマンドはそれぞれの場合においてソフトウエア個人化インターフェース９の１つに一意的に割り当てられ、よって、届いたコマンド２３を認識すると直ちに、個人化装置２０の当該個人化方法と整合する個人化インターフェース９が選択デバイス８によって起動される。本例示実施形態においては、コマンド"Get_Chllenge"がＧ＆Ｄ個人化インターフェースに割り当てられ、コマンド"Initiaslize_Update（80）"がＶＩＳＡ個人化インターフェースに割り当てられ、コマンド"Initiaslize_Update（00）"がＥＭＶ個人化インターフェースに割り当てられる。
【００２３】
ＩＣカード１でサポートされる個人化方法の認識プロセスの手順が図２にフローチャートとして示される。ここでは、全ての個人化方法が特定の再現可能なコマンドシーケンスで開始されるという事実が用いられる。個人化方法の初期段階におけるコマンドシーケンスはほとんど外部認証または相互認証であり、コマンドシーケンスは、インストールされている個人化インターフェース９の内の１つによってＩＣカード１の受信器側で実施される個人化方法が後続する、特定の個人化方式及び／または個人化プロトコルに一意的に割り当てられているべきである。図２に示される方法においては、選択デバイス８がデータ通信インターフェース３を介して届く開始コマンドシーケンスを解析し、解析結果にしたがって、個人化装置２０で用いられる個人化方法をサポートする個人化インターフェース９を独立に起動する。
【００２４】
図２に示される方法は、それぞれの場合において、ＩＣカード製造業者Giesecke & Devrient（Ｇ＆Ｄ）の専用個人化方法と、ＩＣカード発行者ＶＩＳＡ及び標準化コンソーシアムＥＭＶの標準化された個人化方法の内のそれぞれの場合における１つとを弁別する。個人化方法が対応するデータ通信インターフェース２１及び３を介して個人化のためにＩＣカード１にアクセスできるようにＩＣカード１が個人化装置と接触させられると直ちに、工程Ｓ１（開始）において本発明の方法が開始される。工程Ｓ２において、ＩＣカード１は個人化装置２０から個人化方法の枠内で第１のコマンドまたは開始コマンドシーケンスを受け取る（コマンド受取）。工程Ｓ３において、受け取ったコマンドが、Giesecke & Devrientの専用個人化方法の第１のコマンドである、コマンド"Get_Challenge"に対応するか否かがチェックされる（CMD = "Get_Challenge" ?）。工程Ｓ３において選択デバイス８がコマンド"Get_Challenge"を認識すれば、工程Ｓ４において、専用Ｇ＆Ｄ個人化インターフェース９が起動され（Ｇ＆Ｄインターフェース起動）、ＩＣカード発行者ＶＩＳＡ及び標準化コンソーシアムＥＭＶの個人化インターフェースが無効にされる。工程Ｓ５において、起動された専用個人化インターフェース９の仕様にしたがって個人化データ領域１０に個人化データ２２をロードすることにより、ＩＣカード１の個人化が実行される（Ｇ＆Ｄ_仕様個人化）。
【００２５】
工程Ｓ３においてコマンド"Get_Challenge"が認識されなければ、方法は工程Ｓ６に進む。工程Ｓ６において、選択デバイス８は初めに受け取ったコマンドが"Initialize_Update"であるか否かをチェックする（CMD = "Initialize_Update" ?）。工程Ｓ６においてコマンド"Initialize_Update"を認識できなければ、個人化装置２０で用いられる個人化方法がＩＣカード１の個人化インターフェース９でサポートされないことがここで明らかであるから、方法は分岐して工程Ｓ１に戻る。
【００２６】
工程Ｓ６においてコマンド"Initialize_Update"が認識されれば、コマンドとともに送られたパラメータ値Ｐ１が値８０を有するか否かが工程Ｓ７においてチェックされる（P1 = "80"）。Ｐ１＝８０であれば、工程Ｓ８においてＶＩＳＡ個人化インターフェース９が起動され（ＶＩＳＡインターフェース起動）、認識されたＶＩＳＡ個人化方法の仕様にしたがって工程Ｓ９において個人化が実行される（ＶＩＳＡ_仕様個人化）。工程Ｓ７においてパラメータＰ１の値が８０でなければ、工程Ｓ１０においてパラメータＰ１の値が００であるか否かがチェックされる（P1 = "00"）。Ｐ１＝００であれば、工程Ｓ１１においてＥＭＶ個人化インターフェースが起動され（ＥＭＶインターフェース起動）、選択デバイス８によって認識されたＥＭＶ個人化方法の仕様にしたがって工程Ｓ１２において個人化が実行される（ＥＭＶ_仕様個人化）。非起動Ｇ＆Ｄ個人化インターフェース及び、ＩＣカード発行者ＶＩＳＡまたは標準化コンソーシアムＥＭＶの内の、特定の非起動個人化インターフェースはともに無効にされる。工程Ｓ１０においてパラメータＰ１の値が００でなければ、本発明の方法は工程Ｓ１３におけるエラーメッセージで終結する（エラー）。
【００２７】
本発明が３つの既述した個人化方法に限定されたいことは当然であり、ＩＣカード１の個人化インターフェース９として説明した手段に代替あるいはいずれか別の個人化方法をインストールすることが可能である。
【符号の説明】
【００２８】
１    ＩＣカード
２    プロセッサ
３，２１    データ通信インターフェース
４    ＲＯＭメモリ
５    書換可能メモリ
６    ＲＡＭメモリ
７    オペレーティングシステム
８    選択デバイス
９    個人化インターフェース
１０，２２    個人化データ領域
１１    先個人化データ領域
１２    後個人化データ領域
１３    参照コマンド領域
２０    個人化装置
２３    コマンド
【図１】
2009536380.tif 000003
【図２】
2009536380.tif 000004
【国際調査報告】
2009536380.tif 000005
2009536380.tif 000006
2009536380.tif 000007
2009536380.tif 000008
2009536380.tif 000009
2009536380.tif 000010